(57)【要約】【課題】安価な構成で、且つ事前準備を必要とすることなく、楽曲のリミックス操作を容易に行うことが可能な制御装置、制御方法、プログラムを提供する。【解決手段】本発明の制御装置を適用したＤＪコントローラー２は、両端に割り当てられた第１の音源および第２の音源の出力割合を変化させるクロスフェーダー２３と、クロスフェーダー２３の操作位置を検出する検出部２２と、検出したクロスフェーダー２３の操作位置に応じて、第１の音源の出力を変換するフィルター回路の周波数特性と、第２の音源の出力を変換するフィルター回路の周波数特性をそれぞれ変化させる制御部２４と、を備えた。【選択図】図２
2015076625.tif 000002
【特許請求の範囲】
【請求項１】
任意の音源に対する操作を行う操作部と、
前記操作部の操作位置を検出する検出部と、
検出した前記操作部の操作位置に応じて、前記任意の音源の出力割合を変化させると共に、前記任意の音源の出力を変換するフィルター回路の周波数特性を変化させる制御部と、を備えたことを特徴とする制御装置。
【請求項２】
前記操作部は、第１の音源および第２の音源に対する操作を行うものであり、
前記制御部は、前記操作部の操作位置に応じて、前記第１の音源および前記第２の出力割合を変化させると共に、前記第１の音源および前記第２の音源の少なくとも一方に対する前記フィルター回路の周波数特性を変化させることを特徴とする請求項１に記載の制御装置。
【請求項３】
前記操作部は、前記第１の音源および前記第２の音源に対するクロスフェード操作を行うものであり、
前記制御部は、前記操作部の操作位置に応じて、前記第１の音源の出力割合と、前記第２の音源の出力割合を相反するように変化させると共に、前記第１の音源に対する前記フィルター回路の周波数特性と、前記第２の音源に対する前記フィルター回路の周波数特性を相反するように変化させることを特徴とする請求項２に記載の制御装置。
【請求項４】
前記操作部の移動に伴う各音源の周波数特性の変化を示すクロスフェードカーブを設定するクロスフェードカーブ設定部をさらに備え、
前記制御部は、前記クロスフェードカーブに基づいて、各音源に対する前記フィルター回路の周波数特性を変化させることを特徴とする請求項３に記載の制御装置。
【請求項５】
前記制御部は、各音源について、前記出力割合の変化と前記フィルター回路の周波数特性の変化が相反するように制御を行うことを特徴とする請求項３または４に記載の制御装置。
【請求項６】
前記制御部は、前記操作部の操作位置に応じ、当該操作部の操作位置を指示するＭＩＤＩコードと、前記第１の音源および前記第２の音源に対する前記フィルター回路の周波数特性を指示するＭＩＤＩコードを同時生成し、
前記制御部により生成した前記ＭＩＤＩコードを外部に出力する出力部をさらに備えたことを特徴とする請求項３ないし５のいずれか１項に記載の制御装置。
【請求項７】
前記フィルター回路は、ハイパスフィルターであり、前記周波数特性は、当該ハイパスフィルターのカットオフ周波数であることを特徴とする請求項１ないし６のいずれか１項に記載の制御装置。
【請求項８】
任意の音源に対する操作を行う操作部を備えた制御装置の制御方法であって、
前記操作部の操作位置を検出する検出ステップと、
検出した前記操作部の操作位置に応じて、前記任意の音源の出力割合を変化させると共に、前記任意の音源の出力を変換するフィルター回路の周波数特性を変化させる制御ステップと、を実行することを特徴とする制御方法。
【請求項９】
コンピューターに、請求項８に記載の制御方法における各ステップを実行させるためのプログラム。
【発明の詳細な説明】
【技術分野】
【０００１】
本発明は、ＤＪコントローラーなど、楽曲のリミックス操作を行う制御装置、制御方法、プログラムに関するものである。
【背景技術】
【０００２】
従来、この種の技術として、例えば特許文献１が知られている。特許文献１には、リミックスパターンデータに含まれるオリジナルテンポに基づいて、音素材のテンポをマスタテンポに合わせるための再生速度制御を行い、リミックスパターンデータに含まれるキーとマスターキーとの差および再生速度の制御量に基づいて、音素材のキーをマスターキーに合わせるための音高制御を行う技術が開示されている。
【先行技術文献】
【特許文献】
【０００３】
【特許文献１】特開２００８−１６４９３２号公報
【発明の概要】
【発明が解決しようとする課題】
【０００４】
ところが、上記特許文献１の技術は、複雑な処理が必要であるため、高価なプロセッサーを必要とする。また、リミックスパターンデータを必要とするため、事前準備が必要となる。
【０００５】
本発明は、上記の問題点に鑑み、安価な構成で、且つ事前準備を必要とすることなく、楽曲のリミックス操作を容易に行うことが可能な制御装置、制御方法、プログラムを提供することを目的とする。
【課題を解決するための手段】
【０００６】
本発明の制御装置は、任意の音源に対する操作を行う操作部と、操作部の操作位置を検出する検出部と、検出した操作部の操作位置に応じて、任意の音源の出力割合を変化させると共に、任意の音源の出力を変換するフィルター回路の周波数特性を変化させる制御部と、を備えたことを特徴とする。
【０００７】
上記の制御装置において、前記操作部は、第１の音源および第２の音源に対する操作を行うものであり、前記制御部は、前記操作部の操作位置に応じて、前記第１の音源および前記第２の出力割合を変化させると共に、前記第１の音源および前記第２の音源の少なくとも一方に対する前記フィルター回路の周波数特性を変化させることを特徴とする。
【０００８】
上記の制御装置において、前記操作部は、前記第１の音源および前記第２の音源に対するクロスフェード操作を行うものであり、前記制御部は、前記操作部の操作位置に応じて、前記第１の音源の出力割合と、前記第２の音源の出力割合を相反するように変化させると共に、前記第１の音源に対する前記フィルター回路の周波数特性と、前記第２の音源に対する前記フィルター回路の周波数特性を相反するように変化させることを特徴とする。
【０００９】
上記の制御装置において、操作部の移動に伴う各音源の周波数特性の変化を示すクロスフェードカーブを設定するクロスフェードカーブ設定部をさらに備え、制御部は、クロスフェードカーブに基づいて、各音源に対するフィルター回路の周波数特性を変化させることを特徴とする。
【００１０】
上記の制御装置において、制御部は、各音源について、出力割合の変化とフィルター回路の周波数特性の変化が略反比例するように制御を行うことを特徴とする。
【００１１】
上記の制御装置において、制御部は、操作部の操作位置に応じ、当該操作部の操作位置を指示するＭＩＤＩコードと、第１の音源および第２の音源に対するフィルター回路の周波数特性を指示するＭＩＤＩコードを同時生成し、制御部により生成したＭＩＤＩコードを外部に出力する出力部をさらに備えたことを特徴とする。
【００１２】
上記の制御装置において、フィルター回路は、ハイパスフィルターであり、周波数特性は、当該ハイパスフィルターのカットオフ周波数であることを特徴とする。
【００１３】
本発明の制御方法は、任意の音源に対する操作を行う操作部を備えた制御装置の制御方法であって、操作部の操作位置を検出する検出ステップと、検出した操作部の操作位置に応じて、任意の音源の出力割合を変化させると共に、任意の音源の出力を変換するフィルター回路の周波数特性を変化させる制御ステップと、を実行することを特徴とする。
【００１４】
本発明のプログラムは、コンピューターに、上記の制御方法における各ステップを実行させることを特徴とする。
【図面の簡単な説明】
【００１５】
【図１】本発明の一実施形態に係るＤＪシステムのシステム構成図である。
【図２】ＤＪコントローラーの機能構成を示すブロック図である。
【図３】ＤＪコントローラーのミキサー領域における一部の操作部を示す平面図である。
【図４】クロスフェーダーの操作位置に応じて出力されるＭＩＤＩコードの一例を示す表である。
【図５】クロスフェーダーの操作位置と、各デッキに対するハイパスフィルターのカットオフ周波数の関係を示す説明図である。
【図６】フィルター特性のパターン１とパターン２を示す図である。
【図７】フィルター特性のパターン３とパターン４を示す図である。
【図８】音量特性のパターン１とパターン２を示す図である。
【図９】音量特性のパターン３とパターン４を示す図である。
【発明を実施するための形態】
【００１６】
以下、本発明の一実施形態に係る制御装置、制御方法、プログラムについて、添付図面を参照しながら詳細に説明する。本実施形態では、本発明の制御装置を、ＤＪコントローラーに適用した場合について例示する。
【００１７】
図１は、本発明の一実施形態に係るＤＪシステムＳＹのシステム構成図である。ＤＪシステムＳＹは、ＤＪアプリケーションがインストールされたパーソナルコンピューター（以下、「ＰＣ」と称する）１と、当該ＰＣ１と接続されたＤＪコントローラー２と、を備えている。
【００１８】
ＰＣ１には、ＤＪアプリケーションがインストールされている。また、ＰＣ１には、楽曲（音源）の楽曲データ（音声信号）と、当該楽曲データに紐付けられたメタデータ（楽曲解析情報）が記憶されている。もちろん、他の記憶媒体またはソース機器から楽曲データやメタデータを取得する構成としても良い。
【００１９】
一方、ＤＪコントローラー２は、左右２つのデッキ領域２Ａと、その中間に位置するミキサー領域２Ｂと、を備えている。各デッキ領域２Ａでは、ジョグダイヤルや操作ボタン等の操作部により、楽曲の再生制御や各種演出効果を実行するための各種操作が行われる。また、ミキサー領域２Ｂでは、フェーダーやツマミ等の操作部により、楽曲のリミックス操作をはじめ、各デッキにアサインされた楽曲の音量調節や各種レベル調節が行われる。
【００２０】
また、ＤＪコントローラー２は、ＰＣ１に対し、ユーザーの操作に応じたＭＩＤＩコードを送信する。特に本実施形態では、ユーザーによるクロスフェーダー２３（操作部）の操作に対応して複数のＭＩＤＩコードを送信する。ここで、クロスフェーダー２３とは、ユーザーによる操作位置の移動に伴って、クロスフェーダー２３の両端に割り当てられた各音源の出力割合（音量）を調節するものである。本実施形態は、このクロスフェーダー２３の操作により、音量だけでなく、ハイパスフィルターの周波数特性を制御できることを特徴とする。詳細については、後述する。
【００２１】
次に、図２を参照し、ＤＪコントローラー２の機能構成について説明する。ＤＪコントローラー２は、主な機能構成として、クロスフェーダーカーブ設定部（以下、「ＣＦカーブ設定部」と称する）２１、検出部２２、制御部２４および出力部２５を備えている。
【００２２】
ＣＦカーブ設定部２１は、各音源（クロスフェーダー２３の両端に割り当てられた第１の音源および第２の音源）の、クロスフェーダー２３の移動に伴うカットオフ周波数の変化（以下、「フィルター特性」と称する）と、出力割合の変化（以下、「音量特性」と称する）を示すクロスフェードカーブを設定する。本実施形態では、フィルター特性として、図６（ａ），（ｂ）、図７（ａ），（ｂ）に示すパターン１〜４のいずれかのクロスフェードカーブを設定可能であるものとする。また、音量特性として、図８（ａ），（ｂ）、図９（ａ），（ｂ）に示すパターン１〜４のいずれかのクロスフェードカーブを設定可能であるものとする。なお、ＣＦカーブ設定部２１は、ＰＣ１またはＤＪコントローラー２の操作により設定可能である。また、物理的な操作部（例えば、ツマミ）により設定可能としても良いし、ＧＵＩ（Graphical  User  Interface）として表示された操作部により設定可能としても良い。
【００２３】
検出部２２は、クロスフェーダー２３の操作位置を検出する。図３に示すように、クロスフェーダー２３は、直線状に設けられた移動経路２３ｂ上を、移動操作部２３ａが移動する構成となっており、その移動操作部２３ａの位置が操作位置となる。音量の変化については、既存のものと同様である。つまり、クロスフェーダー２３の左端に「デッキ１」（第１の音源）の音源が割り当てられ、クロスフェーダー２３の右端に「デッキ２」（第２の音源）の音源が割り当てられている場合、移動操作部２３ａが左端にある場合は、「デッキ１」の音量がＭＡＸ、「デッキ２」の音量がＭＩＮとなる。そして、移動操作部２３ａが徐々に右側に移動するにしたがって、「デッキ１」の音量が徐々に小さくなり、「デッキ２」の音量が徐々に大きくなる。最終的に、移動操作部２３ａが右端に達すると、「デッキ１」の音量がＭＩＮ、「デッキ２」の音量がＭＡＸとなる。
【００２４】
制御部２４は、検出部２２により検出したクロスフェーダー２３の操作位置に応じて、クロスフェーダー２３に割り当てられた各音源の出力割合（音量）と、各音源の出力を変化させるハイパスフルターのカットオフ周波数（フィルター回路の周波数特性）と、を変化させる。上述のとおり、「デッキ１」の音量と「デッキ２」の音量は、クロスフェーダー２３の移動に伴い、相反するように（略反比例するように）変化させるが、これと同様に、「デッキ１」のカットオフ周波数と「デッキ２」のカットオフ周波数も相反するように変化させる。
【００２５】
また、制御部２４は、任意の音源に対する音量とハイパスフルターのカットオフ周波数を相反するように（略反比例するように）変化させる。つまり、クロスフェーダー２３の一端に割り当てられた「デッキ１」の音量が徐々に小さくなるにつれて、「デッキ１」のハイパスフルターのカットオフ周波数を徐々に大きくする。このとき、同時にクロスフェーダー２３の他端に割り当てられた「デッキ２」の音量が徐々に大きくなるが、「デッキ２」のハイパスフルターのカットオフ周波数は徐々に小さくする。
【００２６】
また、制御部２４は、クロスフェーダー２３の操作位置に応じ、当該クロスフェーダー２３の操作位置を指示するＭＩＤＩコードと、各音源に対するハイパスフルターのカットオフ周波数を指示するＭＩＤＩコードを同時生成する。つまり、図３に示したように、クロスフェーダー２３の両端に「デッキ１」と「デッキ２」が割り当てられている場合、図４に示すように、クロスフェーダー２３の操作位置（または操作範囲）を示すＭＳＢとＬＳＢの組合せと、「デッキ１」に対するハイパスフルターのカットオフ周波数を示すＭＳＢとＬＳＢの組合せと、「デッキ２」に対するハイパスフルターのカットオフ周波数を示すＭＳＢとＬＳＢの組合せを同時に生成する。出力部２５は、制御部２４により生成したＭＩＤＩコードをＰＣ１（外部）に出力する。
【００２７】
なお、図４はＭＩＤＩコードの一例を示したものであり、これに限るものではない。例えば、図４のＭＩＤIコードを増やして分解能（カットオフ周波数の変化のステップ幅）を高くしたり、逆にＭＩＤＩコードを間引いて分解能を低くしても良い。また、図４の例では、ＭＳＢとＬＳＢの組合せとなる２バイトのＭＩＤＩコードを例示したが、１バイトのＭＩＤＩコードでも良い。
【００２８】
次に、図３を参照し、ＤＪコントローラー２のミキサー領域２Ｂに設けられた一部の操作部について説明する。ミキサー領域２Ｂの下端部には、クロスフェーダー２３が設けられている。上述のとおり、このクロスフェーダー２３の操作により、「デッキ１」と「デッキ２」に対し、それぞれ音量特性とフィルター特性を可変可能となっている。また、クロスフェーダー２３の近傍には、ＯＮ／ＯＦＦ切り替えボタン２６が設けられている。ＯＮ／ＯＦＦ切り替えボタン２６がＯＮ状態（点灯状態）の場合、クロスフェーダー２３の操作に伴って、音量特性とフィルター特性を可変制御する。一方、ＯＮ／ＯＦＦ切り替えボタン２６がＯＦＦ状態（非点灯状態）の場合、クロスフェーダー２３の操作に伴って、音量特性のみを可変制御する。
【００２９】
次に、図５を参照し、クロスフェーダー２３の操作に伴う、ハイパスフィルターのカットオフ周波数の変化について説明する。ここでは、ＣＦカーブ設定部２１により、フィルター特性としてパターン１（図６（ａ））が選択された場合を例示している。同図に示すように、クロスフェーダー２３の左端と右端にそれぞれ「デッキ１」と「デッキ２」の音源が割り当てられている場合、移動操作部２３ａが左端にある場合は、「デッキ１」のカットオフ周波数がセンター値（ＭＩＮまたは「０」）、「デッキ２」のカットオフ周波数がＭＡＸとなる。そして、移動操作部２３ａが徐々に右側に移動するにしたがって、「デッキ１」のカットオフ周波数が徐々に大きくなり、「デッキ２」のカットオフ周波数が徐々に小さくなる。最終的に、移動操作部２３ａが右端に達すると、「デッキ１」のカットオフ周波数がＭＡＸ、「デッキ２」のカットオフ周波数がセンター値となる。
【００３０】
なお、フィルター特性は、パターン１（図６（ａ））のように、直線的に変化するもの以外に、パターン２（図６（ｂ））のように、「デッキ１」のカットオフ周波数の立ち上がり終了が緩やかで、且つ「デッキ２」のカットオフ周波数の立下り開始が緩やかなもの、パターン３（図７（ａ））のように、「デッキ１」のカットオフ周波数の立ち上がり開始が緩やかで、且つ「デッキ２」のカットオフ周波数の立下り終了が緩やかなもの、パターン４（図７（ｂ））のように、移動操作部２３ａが左端から右端に移動する場合、クロスフェーダー２３の操作位置が中央位置手前で「デッキ１」のカットオフ周波数の立ち上がりが終了し、且つクロスフェーダー２３の操作位置が中央位置を越えた辺りから「デッキ２」のカットオフ周波数の立下りが開始するものなど、複数のパターンの中から選択・設定可能である。
【００３１】
同様に、音量特性も、パターン１（図８（ａ））のように、直線的に変化するもの、パターン２（図８（ｂ））のように、「デッキ１」の音量の立ち下がり開始が緩やかで、且つ「デッキ２」の音量の立ち上がり終了が緩やかなもの、パターン３（図９（ａ））のように、「デッキ１」の音量の立下り終了が緩やかで、且つ「デッキ２」の音量の立ち上がり開始が緩やかなもの、パターン４（図９（ｂ））のように、移動操作部２３ａが左端から右端に移動する場合、クロスフェーダー２３の操作位置が中央位置を越えた辺りから「デッキ１」の音量の立下りが開始し、且つクロスフェーダー２３の操作位置が中央位置手前で「デッキ２」の音量の立ち上がりが終了するものなど、複数のパターンの中から選択・設定可能である。
【００３２】
なお、フィルター特性と音量特性は、それぞれパターン１〜４から（合計１６種類の組合せの中から）選択するのではなく、パターン１〜４の４種類から選択する構成としても良い。このとき、フィルター特性のパターン１と音量特性のパターン１、フィルター特性のパターン２と音量特性のパターン２、のように同じパターン番号同士で設定される。
【００３３】
なお、請求項における「音量の変化とフィルター回路の周波数特性の変化が相反するように制御を行う」とは、図６，７に示したフィルター特性と、図８，９に示した音量特性との組合せがいずれであっても（合計１６種類の組合せのいずれであっても）該当するものである。
【００３４】
また、各音源に対するフィルター特性と音量特性が、正反比例の関係となるように、パターン１〜４の４種類から選択する構成としても良い。この場合、フィルター特性のパターン１（図６（ａ））に対応して音量特性のパターン１（図８（ａ））が設定される（逆に、音量特性のパターン１が選択された場合、フィルター特性のパターン１が設定される構成としても良い）。また、フィルター特性のパターン２（図６（ｂ））に対応して、音量特性のパターン３（図９（ａ））が設定され、フィルター特性のパターン３（図７（ａ））に対応して、音量特性のパターン２（図８（ｂ））が設定される。また、特に図示しないが、フィルター特性のパターン４（図７（ｂ））に対応して、クロスフェーダー２３の操作位置が中央位置手前までに「デッキ１」の音量の立ち下がりが終了し、且つクロスフェーダー２３の操作位置が中央位置を越えた辺りから「デッキ２」の音量の立ち上がりが開始するカーブが設定される。
【００３５】
また、フィルター特性および音量特性共に、「デッキ１」と「デッキ２」の特性（フェーダーカーブ）を、それぞれ個別に選択・設定可能としても良い。
【００３６】
以上説明したとおり、本実施形態のＤＪコントローラー２は、一度の操作で、音量（クロスフェーダー２３の操作位置）を指示するＭＩＤＩコードと、各音源に対するカットオフ周波数を指示するＭＩＤＩコードを同時出力することができる。これにより、楽曲のリミックス時に使用される複雑なＤＪパフォーマンス（２以上の音源に対する、音量調節とハイパスフィルターのカットオフ周波数の調節）を、クロスフェーダー２３だけの操作で容易に実現することができる。また、それにより、他の演出効果を実効させるための操作を同時に行うことができるため、さらに高度なＤＪパフォーマンスを実現することができる。また、初心者であっても、気軽にＤＪミックスを楽しむことができる。
【００３７】
また、クロスフェーダー２３の操作位置に応じた複数のＭＩＤＩコードを送信するだけの処理であるため、ＤＪコントローラー２（制御部２４）の制御負荷を軽減できる。また、本発明を実現するために、楽曲を解析したり、リミックス用のパターンデータを用意したりする必要がないため、ＤＪの事前準備の負担を軽減できる。
【００３８】
なお、上述の実施形態では、本発明を実現するための操作部として、横方向に直線移動するクロスフェーダー２３を例示したが（図３参照）、縦方向に直線移動するものであっても良い。また、移動操作部が曲線移動する操作部（ロータリー型操作部）など、他の形態の操作部を用いても良い。但し、移動経路が１本の線であって、その線上を移動操作部が移動する形態のものが好ましい。さらに操作部は、物理的に設けられたものではなく、ＧＵＩ（Graphical  User  Interface）として表示されたものでも良い。
【００３９】
また、クロスフェーダー２３ではなく、単なるフェーダーに本発明を適用しても良い。この場合、フェーダーの操作位置に応じて、フェーダーに割り当てられた任意の１以上の音源に対する音量およびフィルター回路の周波数特性を変化させることになる。この場合、各音源に対する音量とフィルター回路の周波数特性を相反するように（略反比例するように）変化させることが好ましい。また、当該機能を有するフェーダーを複数搭載することで、クロスフェード操作を容易に行うことができる。
【００４０】
また、上記の実施形態では、クロスフェーダー２３の両端に、それぞれ１の音源（「デッキ１」と「デッキ２」）を割り当てた場合を例示したが、２以上の音源（チャンネル）を割り当てることも可能である。つまり、請求項における「第１の音源」および「第２の音源」は、それぞれ複数のデッキ（２以上のチャンネル）にアサインされた複数の音源を指すものであっても良い。
【００４１】
また、上記の実施形態では、クロスフェーダー２３の両端に割り当てられた「デッキ１」と「デッキ２」の両方の音源に対するフィルター特性を変化させたが、いずれか一方の端に割り当てられた音源のみを対象として、フィルター特性を変化させても良い。つまり、クロスフェーダー２３の操作に伴い、「デッキ１」と「デッキ２」の両方に対する音量特性を変化させるが、フィルター特性については、「デッキ１」と「デッキ２」のいずれか一方のみを変化させる構成としても良い。
【００４２】
また、上記の実施形態では、ハイパスフルターのカットオフ周波数を可変する制御を例示したが、他のフィルター回路（ローパスフィルターやバンドパスフィルターなど）の周波数特性を可変する制御としても良い。また、クロスフェーダー２３の操作だけで、音量と、ハイパスフルターおよびローパスフィルターの周波数特性を変化させるなど、複数のフィルター回路を組み合わせた制御としても良い。
【００４３】
また、上記の実施形態では、ハイパスフルターのカットオフ周波数を、「デッキ１」と「デッキ２」で共に、センター値からＭＡＸの間で可変したが、開始値と終了値を各デッキで異なる値としても良い。また、開始値と終了値をユーザーが設定可能としても良い。
【００４４】
また、上記の実施形態では、ＣＦカーブ設定部２１により、ユーザーのニーズまたは好みに応じてフィルター特性（ＣＦカーブ）を設定可能であるものとしたが、楽曲データに紐付けられたメタデータ（楽曲解析情報）を取得し、当該メタデータに応じて、適切なフィルター特性（ＣＦカーブ）を設定しても良い。この場合、メタデータは、ＰＣ１からＤＪコントローラー２に対し、ＭＩＤＩ規格のコマンドにより送信されることが好ましい。
【００４５】
また、上述の実施形態に示したＤＪコントローラー２の各構成要素をプログラムとして提供することが可能である。また、そのプログラムを各種記録媒体（ＣＤ−ＲＯＭ、フラッシュメモリー等）に格納して提供することも可能である。すなわち、コンピューターをＤＪコントローラー２の各構成要素として機能させるためのプログラム、およびそれを記録した記録媒体も、本発明の権利範囲に含まれる。
【００４６】
また、上記の実施形態では、本発明の制御装置をＤＪコントローラー２に適用したが、ＤＪプレーヤーやＤＪ複合機器（ＤＪプレーヤーとミキサーの一体型モデル）に適用しても良い。また、ＤＪ機器以外のＭＩＤＩシーケンサ等に適用しても良い。その他、本発明の要旨を逸脱しない範囲で、適宜変更が可能である。
【符号の説明】
【００４７】
１：ＰＣ  ２：ＤＪコントローラー  ２１：ＣＦカーブ設定部  ２２：検出部  ２３：クロスフェーダー  ２３ａ：移動操作部  ２３ｂ：移動経路  ２４：制御部  ２５：出力部  ２６：ＯＮ／ＯＦＦ切り替えボタン  ２Ａ：デッキ領域  ２Ｂ：ミキサー領域  ＳＹ：ＤＪシステム
【図１】
2015076625.tif 000003
【図２】
2015076625.tif 000004
【図３】
2015076625.tif 000005
【図４】
2015076625.tif 000006
【図５】
2015076625.tif 000007
【図６】
2015076625.tif 000008
【図７】
2015076625.tif 000009
【図８】
2015076625.tif 000010
【図９】
2015076625.tif 000011